(57)【特許請求の範囲】
【請求項１】
（イ）化粧品見本を収容する収容孔が貫通形成された基板と、（ロ）前記基板の表面に接合されて前記収容孔を塞ぎ、少なくとも収容孔の周囲部分から内側が基板から剥離可能にされている透明フィルムと、（ハ）前記基板の裏面に接合されて前記収容孔を塞ぐシートと、を備え、前記基板には、前記収容孔からずれた位置に窓が貫通形成されており、前記透明フィルム側から前記窓を通して前記シートに記載された文字等が透視可能であることを特徴とする化粧品見本用容器。
【請求項２】
前記透明フィルムは、基板の表面にラミネートされていることを特徴とする請求項１に記載の化粧品見本用容器。
【請求項３】
前記シートの前記基台に対する接合面が、予め接着性を有する粘着面に形成されていることを特徴とする請求項１に記載の化粧品見本用容器。
【請求項４】
前記シートの裏面の少なくとも一部には両面接着テープが貼着され、この両面接着テープを介して他の部材に固定可能であることを特徴とする請求項１から３のいずれかに記載の化粧品見本用容器。
【発明の詳細な説明】
【０００１】
【発明の属する技術分野】
本発明は、ファンデーション、口紅、アイシャドウなどの化粧料やその他の商品見本を少量添付したカード形の見本用容器に関するものである。
【０００２】
【従来の技術】
この見本用容器は、商品説明や販売促進のための文章を併せて記載して、販売促進のために郵送等することも可能なため、多く利用されている。
【０００３】
この種の見本用容器としては、実開平１−１５３１１２号公報に開示されているものがある。この見本用容器は、厚紙等からなる台紙を備え、この台紙に商品見本を収容する収容孔を貫通形成し、この台紙の表面に収容孔を塞ぐ透明カバーを剥離可能に貼着し、台紙の裏面側から収容孔に商品見本を収容した後でこの台紙の一部を折り返し、折り返し部分を収容孔の周囲部分に覆い被せることによって収容孔を塞ぎ、前記折り返し部分と収容孔の周囲部分の台紙とを接合して構成されている。
【０００４】
【発明が解決しようとする課題】
しかしながら、前記従来の見本用容器では、台紙を２枚重ねることになるので厚さが厚くなり、郵送する場合や雑誌等の中に広告媒体として閉じる場合に具合が悪かった。また、見本用容器１つ当たりに必要な台紙の量が多くなり、コストアップにもなった。尚、これらの点については、収容孔閉塞専用に別の厚紙を用意し、これを前記折り返し部分の代わりに台紙本体に接合した場合にも同じことが言える。
【０００５】
また、収容孔を塞ぐ部分は台紙を折り返して使っており、大量生産する場合にこの折り返し工程は自動化を複雑化するなどの問題が生じる。
本発明はこのような従来の技術の問題点に鑑みてなされたものであり、厚さを薄くすることができ、また大量生産にも適した見本用容器を提供することを目的とする。
【０００６】
【課題を解決するための手段】
本発明は前記課題を解決するために、以下の手段を採用した。
（１）  本発明にかかる見本用容器は、（イ）商品見本を収容する収容孔が貫通形成された基板と、（ロ）前記基板の表面に接合されて前記収容孔を塞ぎ、少なくとも収容孔の周囲部分から内側が基板から剥離可能にされている透明フィルムと、（ハ）前記基板の裏面に接合されて前記収容孔を塞ぐシートと、を備えることを特徴とする。
【０００７】
この見本用容器は、基板１枚と、透明フィルム１枚と、シート１枚を重ねるだけで構成されているので、厚さを薄くすることができるとともに、軽量にでき、見本用容器を郵送したり雑誌に綴じる場合に都合がよい。
【０００８】
基板の素材としては、パルプ紙や、ポリエチレン・ポリエステル系などの合成紙や、プラスチック板等を例示でき、透明フィルムの素材としてはポリエステルを例示でき、シートの素材としては、パルプ紙や、ポリエチレン・ポリエステル系などの合成紙や、合成樹脂フィルム等を例示できる。基板へのシートの接合手段には、接着剤、粘着剤、ホットメルト等が採用可能である。
【０００９】
また、本発明にかかる見本用容器は、湿度保持を要求されるもの、油性を有するもの、乾性の粉体、顆粒体、錠剤、食品、化粧品、日用品等の商品見本を収容する見本用容器として利用することができる。
【００１０】
（２）  本発明にかかる見本用容器では、前記透明フィルムを基板の表面にラミネートしてもよい。これは、見本用容器を大量生産する場合に都合がよい。
【００１１】
（３）  また、本発明にかかる見本用容器では、前記シートの前記基台に対する接合面を、予め接着性を有する粘着面に形成してもよい。これは、見本用容器を大量生産する場合に都合がよい。
【００１２】
（４）  本発明にかかる見本用容器では、前記基板に、前記収容孔からずれた位置に窓を貫通形成し、前記透明フィルム側から前記窓を通して前記シートに記載された文字等を透視可能にしてもよい。
【００１３】
（５）  本発明にかかる見本用容器では、前記シートの裏面の少なくとも一部に両面接着テープを貼着し、この両面接着テープを介して他の部材に固定可能にしてもよい。このようにすると、見本用容器を雑誌等に綴るのに都合がよい。
【００１４】
【発明の実施の形態】
以下、本発明にかかる見本用容器の実施の形態を図１から図５の図面に基いて説明する。尚、以下に説明する実施の形態での見本用容器は、化粧品を商品見本とした態様である。
【００１５】
〔第１の実施の形態〕
初めに、本発明の見本用容器の第１の実施の形態について、図１から図３の図面を参照して説明する。
【００１６】
図１は見本用容器１の平面図、図２は図１のＩ−Ｉ矢視断面図である。見本用容器１は、ポリエチレン・ポリエステル系の合成紙で形成された台紙（基板）２と、台紙２の表面全面にラミネートされたポリエステル製の極薄の透明なフィルム３と、台紙２の裏面の一部に接着されたポリエチレン・ポリエステル系の合成紙で形成された薄いシート４及び両面接着テープ５、とから構成されている。
【００１７】
図３は台紙２の平面図であり、台紙２には、商品見本としての口紅を収容するための収容孔６が４つ貫通形成されている。この台紙２の表面２ａの全面にはフィルム３が予めラミネートされており、このフィルム３が各収容孔６の一方の開口端を塞いでいる。
【００１８】
フィルム３には、各収容孔６の外側を包囲するように、環線状の弱め部７が４つ設けられている。弱め部７は、収容孔６と同心円状に配されて且つ収容孔６よりも大径の円環部７ａと、円環部７ａから斜め外方に延びる摘み部７ｂから構成されており、弱め部７の摘み部７ｂに爪を引っ掛けて弱め部７の内側に引っ張ると、フィルム３において弱め部７よりも外側の部位（以下、ここを一般部と称す）３ａから摘み部７ｂが切り離され且つ台紙２から剥離し、さらに、摘み部７ｂを台紙２から離反する方向に引っ張ると、摘み部７ｂに続いて円環部７ａが一般部３ａから切り離され且つ台紙２から剥離するようになっている。また、フィルム３において各弱め部７よりも内側の部位には、各収容孔６と同心状に円環状のスジ７ｄが形成されている。
【００１９】
また、シート４は、台紙２よりは小さいが台紙２の４つの収容孔６を全て塞ぐに足りる大きさを有している。シート４の裏面には予め接着剤が添着されていて、接着性を有する粘着面になっている。
【００２０】
このシート４は、フィルム３を備えた台紙２の裏面側から各収容孔６内に商品見本としての口紅を充填した後に、前記接着剤を介して台紙２の裏面２ｂに接合される。これにより、収容孔６の他方の開口端がシート４によって塞がれることになる。
【００２１】
両面接着テープ５は、台紙２の裏面であってシート４と重ならない部分に接合されており、この両面接着テープ５の表面には剥離紙８が取り付けられている。この両面接着テープ５は、見本用容器１を雑誌等に綴じる際に剥離紙８を除去して用いられるものである。
【００２２】
この見本用容器１では、前述したようにフィルム３の弱め部７を一般部３ａから切り離し台紙２から剥離させることにより、見本用容器１の表面側の収容孔６開口端を開放し、ここから商品見本を取り出すことになる。尚、弱め部７の全体を台紙２から除去して使用するか、あるいは、弱め部７の一部だけを台紙２から剥離させ、残りの部分を台紙２に接合させたまま使うかは、使用者の自由である。
【００２３】
このように構成された見本用容器１は、台紙２の表面に極薄いフィルム３を備え、裏面に極薄いシート４を備えるだけであるので、見本用容器１としての厚さも薄くすることができ、且つ、より軽量化を達成することができる。したがって、商品見本を収容した見本用容器１を郵送したり雑誌に綴じる場合に、極めて都合がよい。
【００２４】
また、フィルム３が予め台紙２にラミネートされており、シート４には予め接着剤が貼着されているので、商品見本を収容して見本用容器１を完成するまでの一連の製造工程が極めて簡単になり、大量生産にも適し、コストダウンを達成することもできる。
【００２５】
〔第２の実施の形態〕
次に、本発明の見本用容器の第２の実施の形態について、図４及び図５の図面を参照して説明する。
【００２６】
図４は第２の実施の形態における見本用容器１の平面図である。この第２の見本用容器１もその基本構成は前述した第１の実施の形態のものとほとんど同じであるので、同一態様部分に同一符号を付して説明を省略し、相違点についてだけ以下に説明するものとする。
【００２７】
台紙２において１対の収容孔６，６と他の１対の収容孔６，６との間には、窓９が貫通形成されている。
シート４は透明なポリエステルシートで形成されており、台紙２に対し接合面となる裏面には接着剤が貼着されている。また、シート４の表面であって両面接着テープ５の近くに接合される部分には、「両面テープを取って使用下さい」という第１の文字列Ａがシート４の表面側（即ち、見本用容器１の裏面側）から見て読めるように印刷されており、窓９に対応する部分には、「ポーラＥＳ    紅パラベン    ポーラ化成工業」という第２の文字列Ｂがシート４の裏面側（即ち、見本用容器１の表面側）から見て読めるように反転させて印刷されている。この第２の文字列Ｂの内容は、商品見本に関する情報（製造会社名、口紅の色彩記号、主要成分等）である。
【００２８】
このように第２の文字列Ｂが反転して印刷されていることにより、見本用容器１を表面側から見たときに、窓９を介して第２の文字列を読むことができるようになる。
【００２９】
商品見本が口紅のようなものの場合、色彩の違いだけでも多種類の商品見本が必要になる。そのような場合には、第２の文字列Ｂの内容が種類毎に異なることになる。この第２の実施の形態の見本用容器１の場合には、第１の文字列Ａも第２の文字列Ｂもシート４に印刷しており、台紙２には印刷を施さなくてもよいので、台紙４について共通化が可能になり、いずれの種類の商品見本の見本用容器１に対しても使用することができる。
【００３０】
尚、この実施の形態では、シート４を透明にしているので、第１の文字列Ａと第２の文字列Ｂをいずれもシート４の表面に印刷しているが、シート４を非透明な材料で構成した場合には、第１の文字列Ａはシート４の裏面に印刷し、第２の文字列Ｂはシート４の表面に印刷すればよい。
【００３１】
【発明の効果】
以上説明したように、本発明の見本用容器によれば、（イ）商品見本を収容する収容孔が貫通形成された基板と、（ロ）前記基板の表面に接合されて前記収容孔を塞ぎ、少なくとも収容孔の周囲部分から内側が基板から剥離可能にされている透明フィルムと、（ハ）前記基板の裏面に接合されて前記収容孔を塞ぐシートと、を備えることにより、見本用容器の厚さを薄くすることができるとともに、より軽量化を達成することができるという優れた効果が奏される。
【００３２】
また、前記透明フィルムを前記基板の表面にラミネートしたり、前記シートの基台に対する接合面を予め接着性を有する粘着面に形成した場合には、見本用容器を大量生産するのに都合がよくなる。
【００３３】
前記基板に、前記収容孔からずれた位置に窓を貫通形成した場合には、前記透明フィルム側から前記窓を通して前記シートに記載された文字等を透視することができるという効果がある。
【００３４】
前記シートの裏面の少なくとも一部に両面接着テープを貼着し、この両面接着テープを介して他の部材に固定可能にした場合には、雑誌等に簡単に取り付けることができるようになる。
【図面の簡単な説明】
【図１】  本発明にかかる見本用容器の第１の実施の形態の平面図である。
【図２】  前記第１の実施の形態の見本用容器の縦断面図であり、図１のＩ−Ｉ矢視断面図である。
【図３】  前記第１の実施の形態の見本用容器における基板の平面図である。
【図４】  本発明にかかる見本用容器の第２の実施の形態の平面図である。
【図５】  前記第２の実施の形態の見本用容器におけるシートの平面図である。
【符号の説明】
１  見本用容器
２  台紙（基板）
３  透明フィルム
４  シート
５  両面接着テープ
６  収容孔
９  窓
【図１】
0003691950.tif 000002
【図２】
0003691950.tif 000003
【図３】
0003691950.tif 000004
【図４】
0003691950.tif 000005
【図５】
0003691950.tif 000006